(57)【要約】【課題】１回の露光処理により膜厚の異なるフォトレジストのパターンをフォトマスク基板上に形成することで、多階調フォトマスクの製造工程数を削減することが可能なフォトマスクの製造方法を提供する。【解決手段】  傾斜角度がそれぞれ独立して変更可能な複数のマイクロミラーが配列されたマイクロミラーアレイにレーザーを照射し、マイクロミラーの傾斜角度により決定される第１の状態と第２の状態を時間的に制御し、第１の状態にあるマイクロミラーに反射されたレーザーのみをフォトマスク基板上に形成されたフォトレジストに照射することで、１回の露光処理により異なる膜厚を有するフォトレジストパターンを形成することを可能とする。【選択図】  図１
2020091330.tif 000002
【特許請求の範囲】
【請求項１】
描画装置を用いたフォトマスクの製造方法であって、
前記描画装置は、半導体レーザーから照射されたレーザー光の光路中に傾斜角度を独立して変更可能な複数のマイクロミラーで構成されるマイクロミラーアレイを含み、
フォトレジスト膜を形成したフォトマスク基板を設置するステップと、
前記マイクロミラーアレイにレーザー光を照射するステップと、
前記マイクロミラーの各々に対して、前記傾斜角度を制御することにより、前記レーザー光の照射状態を時間的に制御するステップと、
前記フォトマスク基板に対する前記レーザー光の照射位置を相対的に変化させるステップと
を含むことを特徴とするフォトマスクの製造方法。
【請求項２】
前記マイクロミラーアレイは、第１の領域、第２の領域及び第３の領域に区分され、
前記第１の領域に配置されたマイクロミラーは、第１の制御時間の間、第１の状態を維持しつつ、その他の時間は第２の状態を維持し、
前記第２の領域に配置されたマイクロミラーは、第２の制御時間の間、第１の状態を維持しつつ、その他の時間は第２の状態を維持し、
前記第３の領域に配置されたマイクロミラーは、第３の制御時間の間、第１の状態を維持しつつ、その他の時間は第２の状態を維持し、
第１の制御時間、第２の制御時間、第３の制御時間は互いに異なるように設定されることを特徴とする請求項１記載のフォトマスクの製造方法。
【請求項３】
前記フォトレジストの前記レーザーによる露光量とパターン幅変動量との相関関係から、前記第１の領域、第２の領域及び前記第３の領域をマイクロミラー単位で補正することを特徴とする請求項２記載のフォトマスクの製造方法。
【請求項４】
前記フォトレジストを露光するステップと
前記マイクロミラー制御領域からの反射レーザーにより照射される領域を相対的に移動させるステップとを繰り返すことを特徴とする
請求項１乃至３のいずれか１項記載のフォトマスクの製造方法。
【請求項５】
前記フォトマスク基板は、透明基板上に半透過膜及び遮光膜がこの順に形成されていることを特徴とする
請求項１乃至４のいずれか１項記載のフォトマスクの製造方法。
【請求項６】
半導体レーザーから照射されたレーザー光の光路中に傾斜角度を独立して変更可能な複数のマイクロミラーで構成されるマイクロミラーアレイを含む描画装置を用いたフォトマスクの製造方法であって、
透明基板上に半透過膜及び遮光膜がこの順に形成されたフォトマスク基板を準備するステップと、
前記フォトマスク基板上にフォトレジストを形成するステップと、
前記マイクロミラーアレイにおける第１の領域、第２の領域及び第３の領域に配置されたマイクロミラーの各々に対して、前記傾斜角度で決定される第１の状態及び第２の状態を維持する時間を制御するステップと、
前記第１乃至第３の領域に配置されたマイクロミラーの傾斜角度を個別に制御することにより、
前記マイクロミラーの各々に対して、前記傾斜角度で決定される第１の状態及び第２の状態を維持する時間を制御するステップと、
前記第１の領域に設置された前記マイクロミラーは前記第２の状態を維持し、前記第２の領域に設置された前記マイクロミラーは前記第１の状態を第２の制御時間の間維持し、前記第３の領域に設置された前記マイクロミラーは前記第１の状態を前記第２の制御時間より短い第３の制御時間の間維持し、
前記第１の状態にある前記マイクロミラーにより反射された前記レーザーのみを前記フォトレジストに照射するステップと、
前記フォトレジストを現像し、開口部と第１の膜厚のフォトレジストと第２の膜厚のフォトレジストを有するフォトレジストパターンを形成するステップと、
前記フォトレジストパターンをマスクに前記遮光膜及び前記半透過膜をエッチングするステップと、
前記フォトレジストパターンを前記第２の膜厚より多く、前記第１の膜厚より少ない量だけエッチバックして前記フォトレジストパターンの膜厚を減少させるステップと、
膜厚が減少した前記フォトレジストパターンをマスクに前記遮光膜をエッチングするステップと、
前記フォトレジストパターンを除去するステップと、
を含むことを特徴とするフォトマスクの製造方法。
【発明の詳細な説明】
【技術分野】
【０００１】
本発明は、フォトマスクの製造方法に関する。具体的には、ＤＭＤ（デジタルマイクロミラーデバイス）を用いたフォトマスクの描画装置を用いたフォトマスク、特に多階調マスクの製造方法に関する。
【背景技術】
【０００２】
表示装置や半導体装置等の製造過程におけるリソグラフィー工程で使用するフォトマスクを製造する際、フォトマスクブランクス上のフォトレジストに所望のパターンを描画するために、例えば特許文献１、２記載のような描画装置が使用されている。
【０００３】
このような公知のレーザ描画装置を用いてハーフトーンマスク（３階調のフォトマスク）を製造する主要工程について以下に説明する。
図１２は、典型的なボトムハーフ型の多階調マスクの製造方法を示す工程断面図である。
先ず、石英等の透明基板１００上に、Ｍｏシリサイド（ＭｏＳｉ）等の半透過膜１０１と、クロム（Ｃｒ）等の遮光膜１０２とがこの順に形成されたフォトマスクブランクスを準備し、その表面全体にフォトレジスト１０３を塗布法等により形成する（図１２Ａ）。
次に、フォトレジスト１０３を、描画装置により露光し、現像することによりフォトレジストのパターン１０３ａを形成する（図１２Ｂ）。
次に、フォトレジストのパターン１０３ａをマスクに遮光膜１０２をエッチングすることにより、遮光膜のパターン１０２ａを形成し（図１２Ｃ）、さらに半透過膜１０１をエッチングすることにより半透過膜のパターン１０１ａを形成する（図１２Ｄ）。
次に、アッシング等によりフォトレジストのパターン１０３ａを除去した後（図１２Ｅ）、フォトレジスト１０４を形成する（図１２Ｆ）。
次に、フォトレジスト１０４を、描画装置により露光し、現像することによりフォトレジストのパターン１０４ａを形成する（図１２Ｇ）。
次に、フォトレジストのパターン１０４ａをマスクに、遮光膜のパターン１０２ａを選択的にエッチングし、遮光膜のパターン１０２ｂを形成する（図１２Ｈ）。
最後に、アッシング等によりフォトレジストのパターン１０４ａを除去する（図１２Ｉ）。
【先行技術文献】
【特許文献】
【０００４】
【特許文献１】特開２００３−２１５７８２号公報
【特許文献２】特開２０１４−９５８２７号公報
【発明の概要】
【発明が解決しようとする課題】
【０００５】
公知の描画装置でハーフトーンマスク（多階調マスク）を製造するためには、半透過膜と遮光膜の積層とをエッチングするパターンと遮光膜のみをエッチングするパターンの２種類の描画データーをそれぞれ別個に作成する必要があり、２回のリソグラフィー工程が必要になる。その結果、製造工程の増大にともなう製造工期の長時間化、製造コストの高コスト化を招くことになる。
さらに、２回（複数）のリソグラフィー工程を必要とするため、それぞれのリソグラフィー工程で形成する描画パターンを合わせるための位置合わせが必要となる。この場合、位置合わせマージン（余裕）を考慮して描画パターンを拡張する等の対応が必要であるため、パターンの微細化、高集積化の障害となる。
また、４階調以上の多階調マスクを形成する場合、さらにリソグラフィー工程が増加することになる。
【０００６】
本発明は、上記に鑑みてなされたものであり、１回のリソグラフィー工程により多階調フォトマスクを形成することを可能とするフォトマスク描画装置及びこれを用いた多階調マスクの製造方法を提供することを課題とする。
なお、本発明にかかるフォトマスク描画装置は、多階調フォトマスクの製造に限定的に使用されるものではなく、例えばバイナリーマスクの製造にも使用可能であることは言うまでもない。
【課題を解決するための手段】
【０００７】
本発明に係るフォトマスクの製造方法は、
描画装置を用いたフォトマスクの製造方法であって、
前記描画装置は、半導体レーザーから照射されたレーザー光の光路中に傾斜角度を独立して変更可能な複数のマイクロミラーで構成されるマイクロミラーアレイを含み、
フォトレジストを形成したフォトマスク基板を設置するステップと、
前記マイクロミラーアレイにレーザー光を照射するステップと、
前記マイクロミラーの各々に対して、前記傾斜角度を制御することにより、前記レーザー光の照射状態を時間的に制御するステップと、
前記フォトマスク基板に対する前記レーザー光の照射位置を相対的に変化させるステップと
を含むことを特徴とする。
【０００８】
このようなフォトマスクの製造方法とすることで、フォトマスク基板（フォトマスクブランクス）上に形成されたフォトレジストに照射するレーザーの露光量を、パターン形成の画素単位で制御することができ、膜厚の異なるフォトレジストのパターンを１回の露光処理により形成することが可能となる。
【０００９】
また、本発明に係るフォトマスクの製造方法は、
前記マイクロミラーアレイは、第１の領域、第２の領域及び第３の領域に区分され、
前記第１の領域に配置されたマイクロミラーは、第１の制御時間の間、第１の状態を維持しつつ、その他の時間は第２の状態を維持し、
前記第２の領域に配置されたマイクロミラーは、第２の制御時間の間、第１の状態を維持しつつ、その他の時間は第２の状態を維持し、
前記第３の領域に配置されたマイクロミラーは、第３の制御時間の間、第１の状態を維持しつつ、その他の時間は第２の状態を維持し、
第１の制御時間、第２の制御時間、第３の制御時間は互いに異なるように設定されることを特徴とする。
【００１０】
このようなフォトマスクの製造方法とすることで、３種の異なる膜厚のフォトレジストを有するフォトレジストのパターンを１回の露光処理により形成することが可能となる。
また、例えばネガ型フォトレジストに対して、第１の制御時間をゼロとすることで、膜厚がゼロ、即ち開口部を有するフォトレジストパターンを形成することが可能となる。
【００１１】
また、本発明に係るフォトマスクの製造方法は、
前記フォトレジストの前記レーザーによる露光量とパターン幅変動量との相関関係から、前記第１の領域、第２の領域及び前記第３の領域をマイクロミラー単位で補正することを特徴とする。
【００１２】
このようなフォトマスクの製造方法とすることで、パターン幅の寸法変動が少ない異なる膜厚を有するフォトレジストパターンを形成することが可能となる。
【００１３】
また、本発明に係るフォトマスクの製造方法は、
前記フォトレジストを露光するステップと
前記マイクロミラー制御領域からの反射レーザーにより照射される領域を相対的に移動させるステップとを繰り返すことを特徴とする。
【００１４】
このようなフォトマスクの製造方法とすることで、ステップアンドリピート方式により、必要な領域の全てのフォトレジストを露光することが可能となる。
【００１５】
また、本発明に係るフォトマスクの製造方法は、
前記フォトマスク基板は、透明基板上に半透過膜及び遮光膜がこの順に形成されていることを特徴とする。
【００１６】
このようなフォトマスクの製造方法とすることで、容易に３階調のハーフトーンの製造が可能となる。
【００１７】
本発明に係るフォトマスクの製造方法は、
半導体レーザーから照射されたレーザー光の光路中に傾斜角度を独立して変更可能な複数のマイクロミラーで構成されるマイクロミラーアレイを含む描画装置を用いたフォトマスクの製造方法であって、
透明基板上に半透過膜及び遮光膜がこの順に形成されたフォトマスク基板を準備するステップと、
前記フォトマスク基板上にフォトレジストを形成するステップと、
前記マイクロミラーアレイにおける第１の領域、第２の領域及び第３の領域に配置されたマイクロミラーの各々に対して、前記傾斜角度で決定される第１の状態及び第２の状態を維持する時間を制御するステップと、
前記第１乃至第３の領域に配置されたマイクロミラーの傾斜角度を個別に制御することにより、
前記マイクロミラーの各々に対して、前記傾斜角度で決定される第１の状態及び第２の状態を維持する時間を制御するステップと、
前記第１の領域に設置された前記マイクロミラーは傾斜角度によって決定される第２の状態を維持し、前記第２の領域に設置された前記マイクロミラーは傾斜角度によって決定される第１の状態を第２の制御時間の間維持し、前記第３の領域に設置された前記マイクロミラーは傾斜角度によって決定される第１の状態を前記第２の制御時間より短い第３の制御時間の間維持し、
第１の状態にある前記マイクロミラーにより反射された前記レーザーのみを前記フォトレジストに照射するステップと、
前記フォトレジストを現像し、開口部と第１の膜厚のフォトレジストと第２の膜厚のフォトレジストを有するフォトレジストパターンを形成するステップと、
前記フォトレジストパターンをマスクに前記遮光膜及び前記半透過膜をエッチングするステップと、
前記フォトレジストパターンを前記第２の膜厚より多く、前記第１の膜厚より少ない量だけエッチバックして前記フォトレジストパターンの膜厚を減少させるステップと、
膜厚が減少した前記フォトレジストパターンをマスクに前記遮光膜をエッチングするステップと、
前記フォトレジストパターンを除去するステップと、
を含むことを特徴とする。
【００１８】
このようなフォトマスクの製造方法とすることで、３階調のハーフトーンの製造工数を削減できる。
【発明の効果】
【００１９】
本発明にかかるフォトマスクの製造方法によって、１回のリソグラフィー工程によって膜厚の異なるレジストを形成することができ、多階調フォトマスクの製造工程削減が可能となる。
また、重ね合わせマージンを考慮したパターン設計を不要とすることにより、パターンの微細化にも寄与することができる。
【図面の簡単な説明】
【００２０】
【図１】本発明にかかる描画装置の構成を示す図。
【図２】図２（Ａ）は、光反射部上にレーザーが照射される様子を示し、図２（Ｂ）は、レーザー強度分布を模式的に示す。
【図３】図３（Ａ）は、マイクロミラー制御領域Ｃの一部の拡大図、図３（Ｂ）は、マイクロミラー９により反射されたレーザーがフォトレジストに照射される状態を示す断面図。
【図４】ステップアンドリピート方式によりフォトレジストを露光する状況を示す図。
【図５】図５（Ａ）は、マイクロミラー制御領域ＣのＡ−Ａ’部分から反射されたレーザーの強度分布の実測値を示し、図５（Ｂ）は、パターニングされたフォトレジストのライン幅の分布（実測値）を示す。
【図６】図６（Ａ）は、光反射部の一部の領域を拡大した図。図６（Ｂ）は、マイクロミラーの第１の状態と第２の状態のタイミングを比較して示すグラフ。
【図７】ＤＭＤにより領域毎に照射時間が制御されたレーザーによりパターニングしたフォトレジストの断面図。
【図８】ハーフトンマスク（多階調マスク）の製造方法の主要工程を示す断面図。
【図９】ハーフトンマスク（多階調マスク）の製造方法の主要工程を示す断面図。
【図１０】レーザーの露光量と現像後のレジストパターン幅の寸法変動量との関係を示すグラフ。
【図１１】図１１（Ａ）は、レジストパターン幅の寸法変動量の実測値に基づき、マイクロミラーの領域の補正状況を示す図。図１１（Ｂ）は露光量とレジストパターン幅の寸法変動量との相関データを取得するためのパターンを示す図。
【図１２】典型的なボトムハーフ型の多階調マスクの主要製造工程を示す断面図。
【発明を実施するための形態】
【００２１】
以下、図面を参照して本発明の実施形態について説明する。但し、以下の実施形態は、いずれも本発明の要旨の認定において限定的な解釈を与えるものではない。また、同一又は同種の部材については同じ参照符号を付して、説明を省略することがある。
【００２２】
図１（Ａ）は、描画装置１の主な構成を示す。
レーザー発生装置である半導体レーザー２から放射されたレーザーＬＤ（例えばｇ線、ｈ線、ｉ線等）は、点線矢印で示すように反射鏡３によりＤＭＤ（デジタルマイクロミラーデバイス）４へと誘導される。ＤＭＤ４の光反射部８で反射されたレーザーは、点線矢印で示すように、例えばレンズからなる光学系５により、ステージ６上に載置されたフォトマスク基板７上に、等倍又は縮小投影される。
フォトマスク基板７は、例えば透明基板上に半透過膜と遮光膜が形成されたフォトマスクブランクスであり、さらにフォトマスクブランクス上に照射されるレーザーに対して感光性を有するフォトレジストが塗布されている。
ステージ７は、互いに直交するＸ方向及びＹ方向に移動し、フォトマスク基板７を所定の方向に所定の距離だけ、移動させることができる。
【００２３】
ＤＭＤ４の光反射部８は、後述するように複数のマイクロミラー９を有し、各マイクロミラー９の傾斜角度は電気的に制御され、レーザーの反射角度を、図１（Ａ）、（Ｂ）の白塗り矢印又は黒塗り矢印で示すように、二者択一的に変更することができる。
白塗り矢印方向に反射されたレーザーは、光学系５を経由（通過）して、フォトマスク基板７に照射される。一方、黒塗り矢印方向に反射されたレーザーは、光学系５に入射することがなく、そのためフォトマスク基板７に照射されない。このように光学系５を配置することで、ＤＭＤ４により、フォトマスク基板７にレーザーを照射する状態と照射しない状態を選択的に実現できる。
【００２４】
図１（Ｂ）は、ＤＭＤ４の光反射部８の表面の一部を示す斜視図である。
図１（Ｂ）に示すように、光反射部８は、例えば１辺が１０〜１５［μｍ］の微小な鏡（マイクロミラー９）が複数個、例えば１９８０×１０８０個、碁盤の目状に整列し配置されたマイクロミラーアレイ（マイクロミラーの配列）により構成されている。各マイクロミラー９は独立して制御することができ、その傾斜角度を、第１の傾斜角度又は第２の傾斜角度、例えば−１２［°］又は＋１２［°］に切り換えることができる。
【００２５】
光反射部８に入射した（図１（Ｂ）中点線矢印で示される）レーザーは、例えば、第１の傾斜角度に設定されたマイクロミラー９ａで反射された場合には、図１（Ｂ）中白塗り矢印で示すように光学系５に入射し、その後フォトマスク基板７に照射される。傾斜角が第２の傾斜角度に設定されたマイクロミラー９ｂで反射された場合には、図１（Ｂ）中黒塗り矢印で示すように光学系５に入射しない（フォトマスク基板７に照射されない）ように配置されている。
【００２６】
マイクロミラー９毎に、傾斜角度によってレーザーの反射方向を制御することで、レーザーをフォトマスク基板７に照射するか否かを選択することができる。１つのマイクロミラー９から光学系５を経由してフォトマスク基板７に照射される領域が、フォトマスク基板７上の最小露光領域（画素）となる。
なお、傾斜角度は例示でありこれに限定されるものではない。
【００２７】
このようにＤＭＤ４は、各マイクロミラー９の傾斜角を変更することにより、局所的に（各マイクロミラー９毎に）レーザーの進路を変更し、フォトマスク基板７上に照射する状態（第１の状態）、照射しない状態（第２の状態）を選択することができる。
【００２８】
図２（Ａ）は、光反射部８上にレーザーが照射される様子を示し、図２（Ｂ）は、図２（Ａ）の一点鎖線Ｚ−Ｚ’断面におけるレーザー強度分布を模式的に示す。
図２（Ａ）中点線で示される円で囲まれた領域は、レーザー照射領域Ｓを示し、この円がレーザースポット径（例えば１［ｍｍ］）に対応する。また、図２（Ａ）中実線で示される四角形の領域は、レーザー照射領域Ｓ内に設定されたマイクロミラー制御領域Ｃである。マイクロミラー制御領域Ｃは、レーザースポット径の変動や光軸の変動を考慮して、必ずレーザー照射領域Ｓ内に収まるように設定する。
図２（Ｂ）に示すように、レーザー照射領域Ｓの外部では、レーザーの強度が急激に減少し、そして０（ゼロ）となるが、レーザー照射領域Ｓの内部では、理想的にはレーザー強度が一定であり、マイクロミラー制御領域Ｃは強度分布の均一性の良い領域、例えば顧客要求の均一性以内となる領域に設定されている。
なお、ＤＭＤ４の光反射部８の面は、レーザーの入射方向に対して必ずしも垂直でないため、レーザー照射領域Ｓは必ずしも円ではなく、正確には楕円となることがある。
【００２９】
マイクロミラー制御領域Ｃ内部においては、各マイクロミラーは第１の状態、又は第２の状態を選択的して制御できる領域であり、マイクロミラー制御領域Ｃ以外の領域にあるマイクロミラーは、常時第２の状態に設定する。
【００３０】
図３（Ａ）は、マイクロミラー制御領域Ｃの一部を拡大した図を示し、各マイクロミラー９の制御状態の例を示す。図３（Ｂ）は、レーザーＬＤがマイクロミラー９により反射され、光学系５を経由してフォトマスク基板７に形成されたフォトレジスト１０に照射される状態を示す断面図である。
図３（Ａ）中、ハッチングされたマイクロミラー９ａは第１の状態、ハッチングされていないマイクロミラー９ｂは第２の状態にあるマイクロミラーを示す。
第１の状態にあるマイクロミラー９ａを所望のパターンに配置することにより、マイクロミラー９ａにより反射されたレーザーは、所望のパターン形状でフォトマスク基板７上のフォトレジスト１０に照射される（図３（Ｂ））。従って、フォトレジスト１０を、所望のパターン形状に露光することができる。
マイクロミラー制御領域Ｃの各マイクロミラー９は、フォトマスク基板７上で１つの画素（ピクセル）を構成し、この露光領域の最小単位である画素の集合としてフォトレジストのパターンが形成されることになる。
【００３１】
１回の露光処理（１回の描画処理）により露光可能なフォトレジスト１０の露光領域（簡単のため露光区画と称す。）は、マイクロミラー制御領域Ｃから反射されたレーザーによって照射可能な領域である。
そのため、図４に示すように、マイクロミラー制御領域Ｃで確定する１つの露光区画の露光処理が完了すると、連続したパターン形成が可能なように、ステージ６によって露光区画の大きさに相当した距離（図中Ｌ）だけフォトマスク基板７を移動する。その後、次の露光区画に対して所望のパターンのマイクロミラー９の第１、第２の状態を制御することで露光処理を行う。
すなわちステップアンドリピート方式により、フォトマスク基板７表面の露光処理とフォトマスク基板７の移動とを繰り返すことで、所望のパターンをフォトマスク基板７の全面（又はフォトレジスト１０に対してパターン形成が必要な領域）に形成することが可能となる。
【００３２】
なお、移動するステージ６によりフォトマスク基板７を移動させたが、ステップアンドリピート方式によりフォトマスク基板７を露光する場合、フォトマスク基板７と光学系５とが相対的に移動すればよいため、光学系５（及びＤＭＤ４）を移動する構成としてもよく、光学系４とフォトマスク基板７との両方を移動する構成としてもよい。
【００３３】
フォトレジストを感光させるためのレーザーの露光量は、マイクロミラー９ａの第１の状態の時間で制御することができる。所定の時間経過後、マイクロミラー９ａを第２の状態にすることで、容易に所望パターンの露光時間を設定することができる。
さらに、１個のマイクロミラー９は、フォトマスク基板７上で１つの画素を構成するため、画素毎に露光時間を制御することができる。
【００３４】
図５（Ａ）は、マイクロミラー制御領域ＣのＡ−Ａ’部分から反射されたレーザーの強度分布の実測値を示し、図５（Ｂ）は、５［μｍ］幅のラインパターンの列を形成するように制御されたマイクロミラー９から反射されたレーザーによりパターニングされたフォトレジストのライン幅の実測値を示す。
【００３５】
図５（Ａ）に示すように、実際のレーザーの強度分布は、下に凸形状の強度分布を示し、有限の変動幅を有する。図５（Ｂ）に示すように、フォトレジストのライン幅の実測値は、レーザーの強度分布を反映して、わずかに周期的な変動が見られる。
フォトレジストのライン幅の変動は、反射されるレーザーの強度分布に依存する。そのため、もしライン幅の変動が許容範囲を超える場合には、レーザーの強度分布の変動幅を低減するようにマイクロミラー制御領域Ｃを設定すればよい。例えば図５（Ａ）において、中央部分の領域（矢印Ｂ−Ｂ’で示す領域）に限定することで、さらにフォトレジストのライン幅の変動を抑制することができる。このように、最終製品の回路等の設計要求（又は微細化の目標）を反映して所望のライン幅の変動量のしきい値を決め、そのしきい値に対して、マイクロミラー制御領域Ｃを決定すればよい。
なお、Ｂ−Ｂ’に垂直な方向についても同様に設定する。
【００３６】
図６（Ａ）は、多階調フォトマスクを製造するためのＤＭＤ４の光反射部８の一部の領域を拡大した図である。図６（Ａ）に示すように、光反射部８は３つの領域Ｒａ（図中クロスハッチング領域）、領域Ｒｂ（図中シングルハッチング領域）、領域Ｒｃ（図中白塗り領域）、を有している。
【００３７】
図６（Ｂ）は、１回の露光処理を行う際の、領域Ｒａ、Ｒｂ、Ｒｃにおいてマイクロミラー９ａ、９ｂ、９ｃの第１の状態（”ＯＮ”状態）と第２の状態（”ＯＦＦ”状態）のタイミングを示すグラフである。領域Ｒｃ（第１の領域）では各マイクロミラー９ｃは、第１の状態の時間がゼロ（第１の制御時間）、すなわち常に第２の状態を維持し、領域Ｒｂ（第２の領域）では各マイクロミラー９ｂは所定の期間（第２の制御時間ｔｂ）第１の状態、それ以外の期間は第２の状態を維持し、領域Ｒａ（第３の領域）では各マイクロミラー９ａは所定の期間（第３の制御時間ｔａ）第１の状態、それ以外の期間は第２の状態を維持する。図６（Ｂ）に示すようにｔｂはｔａより短く設定されている。例えばｔａを１００％とした場合、ｔｂを３０％〜５０％とする。
【００３８】
従って、１回の露光処理の間に、レーザーが３つの領域Ｒａ、Ｒｂ、Ｒｃにおいて反射されフォトマスク基板７に照射される期間（露光時間）は、それぞれｔａ、ｔｂ、ｔｃ（０：無し）である。
なお、照射される期間（露光時間）は、必ずしも連続する必要はなく、合計がｔａ、ｔｂ、ｔｃ（０：無し）となればよい。
【００３９】
図７は、描画装置１を用いてパターニングしたフォトレジスト１０の膜厚を示す。レーザーＬＤが、図７で示す領域Ｒａ、Ｒｂ、Ｒｃにおいて反射され、フォトマスク基板７上のフォトレジスト１０の領域Ｐａ、Ｐｂ、Ｐｃをそれぞれ照射する。領域Ｐａ、Ｐｂ、Ｐｃのフォトレジスト１０は、露光時間が異なるため、現像後のフォトレジストの膜厚も異なることになる。
例えば、ネガ型フォトレジストの場合、領域Ｒｃを介して照射されるレーザーの露光時間は０であるため、領域Ｐｃのフォトレジスト１０の膜厚は０となる。領域Ｐｂのフォトレジスト１０の膜厚（Ｈｂ）及び領域Ｐａのフォトレジスト１０の膜厚（Ｈａ）は、露光時間ｔｂは露光時間ｔａより短い（ｔｂ＜ｔａ）ため、Ｈｂ＜Ｈａとなる。
【００４０】
所望の膜厚のフォトレジスト１０は、フォトレジスト１０の膜厚と露光時間との相関データ（感度曲線）により得ることができる。予め使用するフォトレジスト１０の感度曲線のデータを取得しておくことで、各領域で所望の膜厚のフォトレジスト１０を形成するための露光時間を決定することができる。決定された露光時間は、各マイクロミラー９に対して第１の状態を維持する時間設定により制御することができる。そのため、ＤＭＤ４を用いてレーザー照射を制御することで、１個のマイクロミラー９を単位とした任意の領域において、任意の露光時間を設定できる。
【００４１】
図７では３種類の膜厚（Ｈａ、Ｈｂ、０）のフォトレジスト１０を形成する例を示した。このように、光反射部８を複数の領域、例えば第１から第ｎ（ｎ≧３）の領域に区分し、各領域に配置された各マイクロミラーを第１の状態とする第１から第ｎの制御時間（時間０を含め）を設定することで、ｎ種類（膜厚０を含め）の異なる膜厚を有するレジストパターンを形成することができる。従って３種類以上の膜厚のフォトレジストを形成することもできる。
また、階段状に傾斜する断面を有するフォトレジストを形成することも可能である。
【００４２】
後述するように、光反射部８から反射されたレーザーを用いてフォトレジスト１０を露光した後にフォトマスク基板７を移動し、ステップアンドリピート方式により、露光処理とフォトマスク基板７の移動を繰り返し、複数の膜厚を有するフォトレジスト１０のパターンをフォトマスク基板７上に形成することができる。
なお、ポジ型フォトレジストに対しても、１回の露光処理により異なる複数の膜厚を有するフォトレジストを形成できる。
【００４３】
もし従来の描画装置を用いた場合、このような膜厚の異なるフォトレジストのパターンを形成しようとすると、複数回の描画処理によりフォトレジストの露光を行う必要がある。そのため、異なる描画工程においてパターンの重ね合わせズレ（位置合わせズレ）を考慮して、重ね合わせ余裕（マージン）の相当する幅（寸法）をパターンに盛り込む必要がある。
しかし、本実施形態のようにＤＭＤ４を用いた描画装置１を用いた場合、１回の露光で異なる膜厚を有するフォトレジスト１０をパターニングできるため、重ね合わせ余裕を考慮したパターン設計が必要が無く、重ね合わせ余裕に相当する寸法の微細化が可能となる。さらに、重ね合わせ余裕に対する設計ルールが緩和され、パターン設計が容易になり、パターン設計者の労力も軽減される。
【００４４】
図８は、ハーフトンマスク（多階調マスク）の製造方法の主要工程を示す断面図である。
図８（Ａ）に示すように、石英等の透明基板１１上に、蒸着法やスパッタ法により、半透過膜１２（例えばＭｏＳｉ、Ｔｉ）と遮光膜１３（例えばＣｒ）とがこの順に形成されたフォトマスクブランクスを準備し、遮光膜１３上にフォトレジスト１０を塗布等により形成する。
なお、半透過膜１２の光透過率は、透明基板１１の光透過率と遮光膜１３の光透過率と
の間で任意に設定されている。
【００４５】
次に図８（Ｂ）に示すように、各マイクロミラー９単位での露光時間制御によりフォトレジスト１０を露光し、その後現像することによりフォトレジスト１０をパターニングする。
上記のように（図６、７参照）、マイクロミラー９毎に露光時間を制御できるため、１回の露光処理工程により、膜厚が異なる第１のフォトレジスト１０ａ、第２のフォトレジスト１０ｂを同時に形成することができる。また、さらに異なる３種類以上の膜厚を有するフォトレジスト１０のパターンを形成することも可能である。
【００４６】
次に図８（Ｃ）に示すように、フォトレジスト１０（第１のフォトレジスト１０ａ及び第２のフォトレジスト１０ｂ）をマスクに、公知のウェットエッチング法やドライエッチング法により、遮光膜１３及び半透過膜１２を順にエッチングする。
【００４７】
次に図８（Ｄ）に示すように、アッシング法により第２のフォトレジスト１０ｂの部分が除去されるまでフォトレジスト１０を全面エッチング（エッチバック）する。
すなわち、膜厚Ｈｂより多く、膜厚Ｈａより少ない量だけエッチバックしフォトレジスト１０の膜厚を減少させる。
第１のフォトレジスト１０ａの膜厚Ｈａは、第２のフォトレジスト１０ｂの膜厚Ｈｂより大きいため、第１のフォトレジスト１０ａの膜厚は減少する（Ｈａ−Ｈｂ以下となる）ものの残置せしめることが可能である。
なお、図８（Ｃ）の工程において、遮光膜１３及び半透過膜１２の少なくとも一方をドライエッチング法によりエッチングする場合、エッチングガス（エッチャント）を最適化し選択比を調整することで、フォトレジスト１０を同時にエッチングし、第２のフォトレジスト１０ｂの部分を除去してもよい。
【００４８】
次に図９（Ｅ）に示すように、フォトレジスト１０（第１のフォトレジスト１０ａ）をマスクに、ウェットエッチング法やドライエッチング法により遮光膜１３を選択的にエッチングする。公知のエッチャント（エッチング液、エッチングガス）を使用し、選択比を十分に高く（例えば１０以上）することで半透過膜１２のエッチングが抑制される。
【００４９】
次に図９（Ｆ）に示すように、アッシング法等によりフォトレジスト（第１のフォトレジスト１０ａ）を除去する。
以上の工程により透明基板１１が露出した領域、透明基板１１上に半透過膜１２のみが形成された領域、透明基板１１上に半透過膜１２と遮光膜１３とが形成された領域を有する３階調のハーフトーンマスク１４を得ることができる。
【００５０】
なお、上記は３階調のハーフトーンマスクを形成する方法を示した。フォトレジスト１０に対して、マイクロミラー９に対する第１の状態の時間を制御することで、３種以上の膜厚を有するようにフォトレジスト１０をパターニングすることも可能である。
それにより、さらに多階調のフォトマスクを製造可能である。
異なる膜厚の半透過膜のパターンを形成するため、膜厚の異なるレジストパターンのエッチバックと半透過膜の部分的エッチング（ハーフエッチング）を順次繰り返せばよい。
【００５１】
図１０は、レーザーの露光量と現像後のレジストパターン幅の寸法変動量との関係を示し、縦軸に寸法変動量、横軸にレーザーの露光量をプロットしている。
露光量は、ライン幅５［μｍ］のレジストパターンが形成される露光量を１として規格化している。このような露光量と現像後のレジストパターン幅との関係は、使用するレジストに依存し、パターン幅毎に（例えば、複数のライン幅、スペース幅又は複数のホール径に対して）実測により求めることができる。
【００５２】
図１０に示すように、露光量が１より小さくなると、レジストパターン幅が小さくなり、露光量が１より大きくなるとレジストパターン幅が大きくなる。すなわち、形成するレジストの膜厚を薄くするため露光量を低減するとパターン幅が狭くなる。そのため、露光量の少ない領域（図７中領域Ｐｂ）においては、露光量の多い領域（図７中領域Ｐａ）と比較して、レジストパターンが狭くなる。
このことは、描画装置１を用いて１回の露光処理によって同時にレジスト膜厚の厚い領域と薄い領域を形成する場合、レジスト膜厚の厚い領域に比べ薄い領域のパターン幅が狭くなることを意味する。
【００５３】
そこで、所望の幅のレジストパターンを形成するためには、図１１（Ａ）に示すように、露光量の少ない領域に対応したマイクロミラー９ｂの領域（図１１（Ａ）中領域Ｒｂ）の幅を、マイクロミラー９ａの領域（図１１（Ａ）中領域Ｒａ）より広くなるよう設定（補正）すればよい。
ここで、図１１（Ａ）において、点線は補正前のマイクロミラー９ｂの領域（領域Ｒｂ）を示す。
なお、マイクロミラー９ｂの領域を補正する例を示したが、マイクロミラー９ａの領域を補正してもよく、両方の領域を補正してもよく、所望のパターン形状が得られるよう適宜補正すればよい。
【００５４】
また、露光量とレジストパターン幅の寸法変動量との相関は、例えば図１１（Ｂ）に示すようにマイクロミラー９を複数列ならべた領域Ｗ１、Ｗ２、Ｗ３を準備し、それぞれの領域におけるマイクロミラー９の列数とレジストパターン幅との相関関係を、露光時間を変えて取得してもよい。この場合、レジストパターン幅の寸法に対して、マイクロミラー９の必要な個数（列数）を直接求めることができる。また、領域Ｗ１、Ｗ２、Ｗ３に対して露光時間の異なる領域を複数準備し（例えば図１１（Ｂ）中領域Ｒａ、Ｒｂ）１回の露光で複数の露光量を変化させるデータを取得することも可能である。この手法を用いることで、本描画装置１により、フォトレジストの感度曲線やパターン幅の変動量のデータを取得する労力も軽減でき、フォトマスク製造のみならず開発コストも軽減することができる。
【００５５】
上記のように、予めレーザーの露光量と現像後のレジストパターン幅との相関関係についてのデータを取得しておけば、そのデータに基づいて反射部８のマイクロミラー９のパターンを補正することで、所望の膜厚でかつ所望の幅のレジストパターンを形成することができる。
マイクロミラー９は、個々に制御が可能であるため、容易にパターンの修正が可能である。例えば、ネガ型フォトレジストの場合、レジストパターンを拡張するためには、拡張する幅に合わせて、第１の状態にするマイクロミラー９を所定の個数だけ増やせばよく、レジストパターンを縮小するためには、縮小する幅に合わせて、第１の状態にするマイクロミラー９を所定の個数だけ減らせばよい。
【００５６】
以下、フォトマスクの描画パターンを形成するためのＤＭＤ４の制御方法について説明する。
例えば３階調のハーフトーンマスクを形成する場合、以下の手順に従い、フォトマスク（ハーフトーンマスク）のレジストパターンを形成することができる。
【００５７】
（１）ＣＡＤ等の設計ツールを利用し、第１のパターン領域である透明部（光透過部又は透明基板露出部）のパターンデータ（座標データ）、第２のパターン領域である遮光部のパターンデータ（座標データ）、第３のパターン領域である遮光部と透明部の間の透過率を有する半透過部のパターンデータ（座標データ）の３つの領域に区分される所望のパターンデータ（例えば、電気回路パターン）を確定（設計）する。パターンデータは、描画装置１に内蔵された記憶装置又は外部の記憶装置に記憶する。
（２）上記各領域に対応して、形成するフォトレジストの膜厚を製造プロセスの要請から決定する。
【００５８】
（３）各パターンデータをマイクロミラー制御領域で確定される露光区画（マイクロミラー制御領域により反射されたレーザーのフォトレジスト上での照射領域）に分割して、露光区画毎に、透明部（第１のパターン領域）、遮光部（第２のパターン領域）、半透過部（第３のパターン領域）、の各領域に対応したフォトレジストの露光時間を決定する。露光時間は、予め実測した感度曲線と、各領域に対して決定されたフォトレジスト膜厚とから算出する。
このとき、パターンデータの重要な回路部分が分割した露光区画の境界部分に重ならないように調整することも可能である。
そうすることで露光量の変動が発生した場合であっても重要な回路部分のパターン幅の変動を回避することが可能となる。
すなわち、予め重要な回路部分を、分割不能部として特定し、指定しておき、その分割不能部に露光区画の境界部分が重ならないよう、露光区画の大きさをその分割不能部の周囲で変更すればよい。
【００５９】
算出された露光時間から、上記第１、第２及び第３のパターン領域に対応したＤＭＤ４の各マイクロミラー９の制御条件（傾斜角（即ち第１の状態又は第２の状態）とその保持時間）を暫定的に決定する。
ここで、第１、第２及び第３のパターン領域に対応したマイクロミラーとは、レーザーを反射し、それぞれ第１、第２及び第３のパターン領域に照射するマイクロミラーを意味する。第１、第２及び第３のパターン領域に対応したマイクロミラーからなる領域をそれぞれ第１、第２及び第３のマイクロミラー領域と称す。
なお、感度曲線は、記憶装置に記憶しておき、マイコン等の演算処理装置により算出してもよい。
【００６０】
（４）予め取得した露光量とパターン幅変動量との相関関係から、マイクロミラー制御領域に対して、第１、第２及び第３のパターン領域に対応した第１、第２及び第３のマイクロミラー領域をマイクロミラー単位で補正し（拡大又は縮小し）、マイクロミラー９の制御条件（傾斜角と保持時間）を補正して、制御条件を確定する。
なお、第１、第２及び第３のマイクロミラー領域以外、すなわちマイクロミラー制御領域Ｃ以外の領域のマイクロミラー制御条件は、常時第２の状態を維持するという条件とする。
補正されたマイクロミラーの制御条件を露光区画毎に対応させて記憶装置に記憶する。
【００６１】
（５）透明基板上に光透過部、遮光部をこの順に形成したフォトマスクブランクス上に、フォトレジスト１０を形成したフォトマスク基板７を準備し、ステージ６上に載置する。
（６）記憶された各露光区画に対応したマイクロミラー制御条件に従って、ＤＭＤ４の各マイクロミラー９を制御し、レーザーをフォトマスク基板７上のフォトレジスト１０に照射する。
【００６２】
（７）フォトマスク基板７を光学系５に対して１つの露光区画に相当する距離だけ移動する。
このステップは、フォトマスク基板７と光学系５との相対的距離を移動させるものであり、フォトマスク基板７若しくは光学系５の一方、又はフォトマスク基板７及び光学系５の両方を移動させてもよい。これによりフォトレジスト１０上の露光区画を移動し、フォトレジスト１０上の露光処理が必要な領域すべてを露光することができる。
相対的移動は、例えば所謂直交座標系の２つの直交軸、Ｘ軸、Ｙ軸の各方向に対して行
うことができる。
【００６３】
光学系５を移動させる場合、第１の状態のマイクロミラー９から反射されたレーザーが光学系５を経由してフォトマスク基板７に照射できるように構成する必要がある。そのため、光学系５と同時にＤＭＤ４を移動させてもよい。光学系５を移動させる方法は、例えば特許文献１、２に開示されている手法等、公知の手法を採用できる。
【００６４】
（８）ステップアンドリピート方式に従って、（６）と（７）を繰り返し、フォトマスク基板７上に形成されたフォトレジスト１０を順次露光する
以上の手順により、フォトマスク基板７上のフォトレジスト１０の露光が完了し、その後現像処理によりフォトレジスト１０のパターニングが完了する。
その後図８で説明した製造工程によりフォトマスクを完成させることができる。
【００６５】
なお、（３）と（４）の工程を実質的に入れ替えることも可能である。
すなわち、予め取得した露光量とパターン幅変動量との相関関係から、半透過部のパターンデータ（座標データ）と、遮光部のパターンデータ（座標データ）を補正し、その後各パターンデータをマイクロミラー制御領域で確定する露光区画に分割して、露光区画毎に、光透過部、遮光部、透明部に対応したＤＭＤ４の各マイクロミラー９の制御条件（傾斜角とその保持時間）を決定し、記憶装置に記憶してもよい。
【産業上の利用可能性】
【００６６】
本発明によれば、１回の露光処理により膜厚の異なるフォトレジストのパターンをフォトマスク基板上に形成することが可能となり、多階調フォトマスクの製造工程の削減することが可能となり、さらにフォトマスクのパターンの微細化にも寄与することが可能である。本発明により製造されたフォトマスクは、電子デバイス等の製造過程のリソグラフィー工程に利用することができ、産業上の利用可能性は高い。
【符号の説明】
【００６７】
１  描画装置
２  半導体レーザー
３  反射鏡
４  ＤＭＤ
５  光学系
６  ステージ
７  フォトマスク基板
８  光反射部
９、９ａ、９ｂ、９ｃ  マイクロミラー
１０  フォトレジスト
１０ａ  第１のフォトレジスト
１０ｂ  第２のフォトレジスト
１１  透明基板
１２  半透過膜
１３  遮光膜
１４  ハーフトーンマスク
１５  光量検出器
１００  透明基板
１０１  半透過膜
１０１ａ  半透過膜のパターン
１０２  遮光膜
１０２ａ、１０２ｂ  遮光膜のパターン
１０３  フォトレジスト
１０３ａ  フォトレジストのパターン
１０４  フォトレジスト
１０４ａ  フォトレジストのパターン
【図１】
2020091330.tif 000003
【図２】
2020091330.tif 000004
【図３】
2020091330.tif 000005
【図４】
2020091330.tif 000006
【図５】
2020091330.tif 000007
【図６】
2020091330.tif 000008
【図７】
2020091330.tif 000009
【図８】
2020091330.tif 000010
【図９】
2020091330.tif 000011
【図１０】
2020091330.tif 000012
【図１１】
2020091330.tif 000013
【図１２】
2020091330.tif 000014